(57)【特許請求の範囲】
【請求項１】
第１入力端子，第２入力端子および第１出力端子，第２出力端子を備えた単相２線式の変圧器において、
単相２線式交流電源に接続されている前記第１入力端子および前記第２入力端子を有する主巻線と、
前記主巻線と共通の磁路を有する巻線であって、一方の端子が前記第１入力端子に接続されると共に、他方の端子が前記第１出力端子に接続されている第１の副巻線と、
前記主巻線と共通の磁路を有する巻線であって、一方の端子が前記第２入力端子に接続されると共に、他方の端子が前記第２出力端子に接続されており、かつ、前記第１の副巻線とは逆相の起電力を生じさせる第２の副巻線と、
前記第１の副巻線および前記第２の副巻線をそれぞれ静電的に遮蔽するシールド部材と
を具備したことを特徴とする変圧器。
【請求項２】
第１入力端子，第２入力端子および第１出力端子，第２出力端子を備えた単相２線式の変圧器において、
単相２線式交流電源に接続されている前記第１入力端子および前記第２入力端子を有する主巻線と、
前記主巻線と共通の磁路を有する巻線であって、一方の端子が前記第１入力端子に接続されると共に、他方の端子が前記第１出力端子に接続されている第１の副巻線と、
前記主巻線と共通の磁路を有する巻線であって、一方の端子が前記第２入力端子に接続されると共に、他方の端子が前記第２出力端子に接続されている第２の副巻線と、
前記第１の副巻線および前記第２の副巻線をそれぞれ静電的に遮蔽するシールド部材と
を具備し、前記第１および前記第２の副巻線における起電力が共に前記主巻線の起電力と加極性になるよう結線したことを特徴とする変圧器。
【請求項３】
請求項１または２に記載の変圧器において、
前記第１の副巻線による起電力の大きさと、前記第２の副巻線による起電力の大きさとを等しく設定し、または、所定の大小関係をもって設定したことを特徴とする変圧器。
【請求項４】
１次巻線と２次巻線とを共通のコア上に巻回した単相２線式の変圧器において、
前記１次巻線の一方の端子である第１入力端子と、前記２次巻線の中点とを接続する結線手段と、
前記１次巻線の他方の端子である第２入力端子と、前記２次巻線の端子である第１出力端子および第２出力端子との間にそれぞれ接続した第１のコンデンサおよび第２のコンデンサと、
前記１次巻線または前記２次巻線のいずれか一方を静電的に遮蔽するシールド部材と
を具備したことを特徴とする変圧器。
【請求項５】
１次巻線と２次巻線とを共通のコア上に巻回することにより１次側と２次側とをアイソレートする単相２線式の変圧器において、
前記１次巻線の一方の端子である第１入力端子と、前記２次巻線の中点とを接続する結合コンデンサと、
前記１次巻線の他方の端子である第２入力端子と、前記２次巻線の端子である第１出力端子および第２出力端子との間にそれぞれ接続した第１のコンデンサおよび第２のコンデンサと、
前記１次巻線または前記２次巻線のいずれか一方を静電的に遮蔽するシールド部材と
を具備したことを特徴とする変圧器。
【請求項６】
請求項４または５に記載の変圧器において、
前記２次巻線の出力電圧を、前記１次巻線の入力電圧と等しくするか、あるいは、該入力電圧より低く設定することを特徴とする変圧器。
【請求項７】
第１入力端子，中性線入力端子，第２入力端子および第１出力端子，中性線出力端子，第２出力端子を備えた単相３線式の変圧器において、
単相３線式交流電源に接続されている前記第１入力端子，前記中性線入力端子および前記第２入力端子を有する第１の主巻線と、
前記第１の主巻線と共通の磁路を有する巻線であって、前記第１入力端子，前記中性線入力端子および前記第２入力端子とそれぞれ並列に接続されている３つの入力端子を有する第２の主巻線と、
前記第１および前記第２の主巻線と共通の磁路を有する２端子付き巻線であって、該２端子のうち一方の端子が前記第１の主巻線における前記第２入力端子に接続されると共に、他方の端子が前記第２出力端子に接続されている第１の副巻線と、
前記第１および前記第２の主巻線と共通の磁路を有する２端子付き巻線であって、該２端子のうち一方の端子が、前記第２の主巻線における前記第１入力端子側の端子に接続されると共に、他方の端子が前記第１出力端子に接続されている第２の副巻線と、
前記第１の副巻線および前記第２の副巻線をそれぞれ静電的に遮蔽するシールド部材と、
前記中性線入力端子と前記中性線出力端子とを結合する接続線とを具備し、
前記中性線出力端子と前記第１出力端子との間における第１出力電圧、および、前記中性線出力端子と前記第２出力端子との間における第２出力電圧がそれぞれ前記３線式交流電源の線間電圧より低くなるように結線したことを特徴とする変圧器。
【請求項８】
第１入力端子，中性線入力端子，第２入力端子および第１出力端子，中性線出力端子，第２出力端子を備えた単相３線式の変圧器において、
単相３線式交流電源の中性線および一方の電圧線に接続されている前記中性線入力端子および前記第１入力端子を有する第１の主巻線と、
前記単相３線式交流電源の前記中性線および他方の電圧線に接続されている前記中性線入力端子および前記第２入力端子を有する巻線であって、前記第１の主巻線と共通の磁路を有する第２の主巻線と、
前記第１および前記第２の主巻線と共通の磁路を有する２端子付き巻線であって、該２端子のうち一方の端子が前記第１の主巻線における前記第１入力端子に接続されると共に、他方の端子が前記第１出力端子に接続されている第１の副巻線と、
前記第１および前記第２の主巻線と共通の磁路を有する２端子付き巻線であって、該２端子のうち一方の端子が前記第２の主巻線における前記第２入力端子に接続されると共に、他方の端子が前記第２出力端子に接続されている第２の副巻線と、
前記第１の副巻線および前記第２の副巻線をそれぞれ静電的に遮蔽するシールド部材と、
前記中性線入力端子と前記中性線出力端子とを結合する接続線とを具備し、
前記中性線出力端子と前記第１出力端子との間における第１出力電圧、および、前記中性線出力端子と前記第２出力端子との間における第２出力電圧がそれぞれ前記３線式交流電源の線間電圧より低くなるように結線したことを特徴とする変圧器。
【発明の詳細な説明】
【０００１】
【発明の属する技術分野】
本発明は、電子機器などの電力負荷から電源ラインへ還流する雑音および電源高調波を抑止する機能を備えた、単相２線式または単相３線式の変圧器に関するものである。
【０００２】
【従来の技術】
近年に至り、スイッチング・レギュレ−タを備えた電子機器あるいは家庭用電気機器、またＥＭＩ（電磁気干渉）およびＲＦＩ（無線周波干渉）を生じさせる情報処理装置、さらには強力なスパイク性ノイズおよび電源高調波を発生させる電力装置、あるいはインバータを内蔵した電子機器または電力機器など、各種さまざまな機器・装置が一般的に且つ広範な分野で使用されるようになってきている。
【０００３】
【発明が解決しようとする課題】
このように、電子機器あるいは情報処理機器の普及に伴って、これら機器の電源ラインには電源周波数（５０Ｈｚ，６０Ｈｚ）の整数倍の周波数を有する電源高調波が多く含まれるようになってきている。この電源高調波は、電子機器自体あるいは情報処理機器自体が原因となって基本電源周波数の負荷電流を歪ませることにより発生されるものであって、特に近年に至り、奇数次の電源高調波（すなわち、３次電源高調波、５次電源高調波、７次電源高調波など）が増加している。
【０００４】
これらの電源高調波が電源ラインに多く含まれるようになると、送電系統にとって不都合な発熱や破損などをもたらしかねないというマクロ的な問題に加えて、一般ユーザにとっても電源電圧波形が不正常なものとなるため、種々の機器トラブルを招来し得るという問題が生じる。
【０００５】
さらに、電子機器などから発生される各種のノイズが、他の電子機器あるいは通信機器などに対して上記の誘導妨害を与えることになるため、正常な機器動作を阻害する要因にもなっている。
【０００６】
また、ユーザ自身（工場あるいは事務処理現場も含む）にとっては、使用すべき機器の数が増加することによって、消費電力量の抑制を図ることも重要な課題のひとつになってきている。
【０００７】
このような問題に対して、通商産業省資源エネルギー庁公益事業部は「家電・汎用品高調波抑制対策ガイドライン」（平成６年９月）を刊行し、また、社団法人  日本電子工業振興協会は「家電・汎用品高調波抑制対策ガイドラインの実行計画（案）」（平成７年２月１７日）を発表している。
【０００８】
しかしながら、このように半ば社会問題化している電源高調波・ノイズの問題に対しても、現実には、例えば、電源高調波の周波数に同調させた並列共振回路を電力負荷に直列接続することにより電源高調波成分を除去したり、高価なアクティブフィルタを利用して電源波形を補正する機器を用いたり、あるいは、電源内部の整流回路自体を工夫することにより急峻な負荷電流波形が生じないようにしているにすぎない。
【０００９】
さらに、電子機器あるいは電力機器の電力消費量を低減させるために、所謂「節電器」なる名称で省エネルギー・省電力消費を謳った製品が複数の製造業者から市販されているが、受電設備を備えた大型電力需要者などは別として、個人レベルのユーザにとってはコスト面からみて直接的には何ら関心の持てるものではないのが現状である。
【００１０】
よって本発明の目的は、上述の点に鑑み、電子機器などの電力負荷から電源ラインへ還流する雑音および電源高調波を抑止する機能に加えて、その電力負荷の消費電力を低減させる節電機能をも併せ備えた変圧器を提供することにある。
【００１１】
本発明の他の目的は、簡易かつ小型な単相２線式または単相３線式の巻線構成を有し、しかも、必要に応じて商用電源と電子機器などとの間の着脱が自在であるにも拘らず、電子機器などの電力負荷から電源ラインへ還流する雑音および電源高調波を効果的に抑止すると共に、併せて、その電力負荷の消費電力量も低減させることも可能とした変圧器を提供することにある。
【００１２】
【課題を解決するための手段】
上記の目的を達成するために、本発明に係る変圧器は、下記の構成を備えている。
【００１３】
なお、以下に示すカッコ書きは、後に詳述する図面中に記載した符号あるいは番号との対応関係を例示したものである。
【００１４】
本発明の第１の形態は、図１に示すように、第１入力端子（１），第２入力端子（２）および第１出力端子（３），第２出力端子（４）を備えた単相２線式の変圧器において、
単相２線式交流電源に接続されている前記第１入力端子（１）および前記第２入力端子（２）を有する主巻線（Ｌ１Ａ）と、
前記主巻線（Ｌ１Ａ）と共通の磁路を有する巻線であって、一方の端子が前記第１入力端子（１）に接続されると共に、他方の端子が前記第１出力端子（３）に接続されている第１の副巻線（Ｌ１Ｂ）と、
前記主巻線（Ｌ１Ａ）と共通の磁路を有する巻線であって、一方の端子が前記第２入力端子（２）に接続されると共に、他方の端子が前記第２出力端子（４）に接続されており、かつ、前記第１の副巻線（Ｌ１Ｂ）とは逆相の起電力を生じさせる第２の副巻線（Ｌ１Ｃ）と、
前記第１の副巻線（Ｌ１Ｂ）および前記第２の副巻線（Ｌ１Ｃ）をそれぞれ静電的に遮蔽するシールド部材（５，６）と
を具備したものである。
【００１５】
本発明の第２の形態は、図１８に示すように、第１入力端子（２１），第２入力端子（２２）および第１出力端子（２３），第２出力端子（２４）を備えた単相２線式の変圧器において、
単相２線式交流電源に接続されている前記第１入力端子（２１）および前記第２入力端子（２２）を有する主巻線（Ｌ２Ａ）と、
前記主巻線（Ｌ２Ａ）と共通の磁路を有する巻線であって、一方の端子が前記第１入力端子（２１）に接続されると共に、他方の端子が前記第１出力端子（２３）に接続されている第１の副巻線（Ｌ２Ｂ）と、
前記主巻線（Ｌ２Ａ）と共通の磁路を有する巻線であって、一方の端子が前記第２入力端子（２２）に接続されると共に、他方の端子が前記第２出力端子（２４）に接続されている第２の副巻線（Ｌ２Ｃ）と、
前記第１の副巻線（Ｌ２Ｂ）および前記第２の副巻線（Ｌ２Ｃ）をそれぞれ静電的に遮蔽するシールド部材（２５，２６）と
を具備し、前記第１および前記第２の副巻線（Ｌ２Ｂ，Ｌ２Ｃ）における起電力が共に前記主巻線（Ｌ２Ａ）の起電力と加極性になるよう結線（Ｅ（ＯＵＴ）＝Ｅ１＋Ｅ２）したものである。
【００１６】
ここで、上述した第１または第２の形態による変圧器（図１，図１８）において、前記第１の副巻線（Ｌ１Ｂ，Ｌ２Ｂ）による起電力（Ｅ１）の大きさと、前記第２の副巻線（Ｌ１Ｃ，Ｌ２Ｃ）による起電力（Ｅ２）の大きさとを等しく設定し、または、所定の大小関係をもって設定することが好適である。
【００１７】
本発明の第３の形態は、図２２に示すように、１次巻線（Ｌ３Ａ）と２次巻線（Ｌ３Ｂ）とを共通のコア（３７）上に巻回した単相２線式の変圧器において、
前記１次巻線（Ｌ３Ａ）の一方の端子である第１入力端子（３１）と、前記２次巻線（Ｌ３Ｂ）の中点（Ｍ）とを接続する結線手段（３８）と、
前記１次巻線（Ｌ３Ａ）の他方の端子である第２入力端子（３２）と、前記２次巻線（Ｌ３Ｂ）の端子である第１出力端子（３３）および第２出力端子（３４）との間にそれぞれ接続した第１のコンデンサ（Ｃ１）および第２のコンデンサ（Ｃ２）と、
前記１次巻線（Ｌ３Ａ）または前記２次巻線（Ｌ３Ｂ）のいずれか一方を静電的に遮蔽するシールド部材（３５）と
を具備したものである。
【００１８】
本発明の第４の形態は、図３５に示すように、１次巻線（Ｌ４Ａ）と２次巻線（Ｌ４Ｂ）とを共通のコア（４７）上に巻回することにより１次側と２次側とをアイソレートする単相２線式の変圧器において、
前記１次巻線（Ｌ４Ａ）の一方の端子である第１入力端子（４２）と、前記２次巻線（Ｌ４Ｂ）の中点（Ｍ）とを接続する結合コンデンサ（Ｃ３）と、
前記１次巻線（Ｌ４Ａ）の他方の端子である第２入力端子（４１）と、前記２次巻線（Ｌ４Ｂ）の端子である第１出力端子（４３）および第２出力端子（４４）との間にそれぞれ接続した第１のコンデンサ（Ｃ１）および第２のコンデンサ（Ｃ２）と、
前記１次巻線（Ｌ４Ａ）または前記２次巻線（Ｌ４Ｂ）のいずれか一方を静電的に遮蔽するシールド部材（４５）と
を具備したものである。
【００１９】
ここで、上述した第３または第４の形態による変圧器（図２２，図３５）において、前記２次巻線（Ｌ３Ｂ，Ｌ４Ｂ）の出力電圧（Ｅ（ＯＵＴ））を、前記１次巻線（Ｌ３Ａ，Ｌ４Ａ）の入力電圧（Ｅ（ＩＮ））と等しくするか、あるいは、該入力電圧（Ｅ（ＩＮ））より低く設定することが好適である。
【００２０】
本発明の第５の形態は、図３７に示すように、第１入力端子（５１），中性線入力端子（５２），第２入力端子（５３）および第１出力端子（５４），中性線出力端子（５５），第２出力端子（５６）を備えた単相３線式の変圧器において、
単相３線式交流電源に接続されている前記第１入力端子（５１），前記中性線入力端子（５２）および前記第２入力端子（５３）を有する第１の主巻線（ＬＬ５Ａ）と、
前記第１の主巻線（ＬＬ５Ａ）と共通の磁路を有する巻線であって、前記第１入力端子（５１），前記中性線入力端子（５２）および前記第２入力端子（５３）とそれぞれ並列に接続されている３つの入力端子を有する第２の主巻線（ＬＬ５Ｂ）と、
前記第１および前記第２の主巻線（ＬＬ５Ａ，ＬＬ５Ｂ）と共通の磁路を有する２端子付き巻線であって、該２端子のうち一方の端子が前記第１の主巻線（ＬＬ５Ａ）における前記第２入力端子（５３）に接続されると共に、他方の端子が前記第２出力端子（５６）に接続されている第１の副巻線（Ｌ５Ａ）と、
前記第１および前記第２の主巻線（ＬＬ５Ａ，ＬＬ５Ｂ）と共通の磁路を有する２端子付き巻線であって、該２端子のうち一方の端子が、前記第２の主巻線（ＬＬ５Ｂ）における前記第１入力端子（５１）側の端子に接続されると共に、他方の端子が前記第１出力端子（５４）に接続されている第２の副巻線（Ｌ５Ｂ）と、
前記第１の副巻線（Ｌ５Ａ）および前記第２の副巻線（Ｌ５Ｂ）をそれぞれ静電的に遮蔽するシールド部材（５８，５９）と、
前記中性線入力端子（５２）と前記中性線出力端子（５５）とを結合する接続線（ＮＬ）とを具備し、
前記中性線出力端子（５５）と前記第１出力端子（５４）との間における第１出力電圧（Ｅ２−ｅ２）、および、前記中性線出力端子（５５）と前記第２出力端子（５６）との間における第２出力電圧（Ｅ１−ｅ１）がそれぞれ前記３線式交流電源の線間電圧（Ｅ２，Ｅ１）より低くなるように結線したものである。
【００２１】
本発明の第６の形態は、図４０に示すように、第１入力端子（６３），中性線入力端子（６２），第２入力端子（６１）および第１出力端子（６６），中性線出力端子（６５），第２出力端子（６４）を備えた単相３線式の変圧器において、
単相３線式交流電源の中性線および一方の電圧線に接続されている前記中性線入力端子（６２）および前記第１入力端子（６３）を有する第１の主巻線（ＬＬ６Ａ）と、
前記単相３線式交流電源の前記中性線および他方の電圧線に接続されている前記中性線入力端子（６２）および前記第２入力端子（６１）を有する巻線であって、前記第１の主巻線（ＬＬ６Ａ）と共通の磁路を有する第２の主巻線（ＬＬ６Ｂ）と、
前記第１および前記第２の主巻線（ＬＬ６Ａ，ＬＬ６Ｂ）と共通の磁路を有する２端子付き巻線であって、該２端子のうち一方の端子が前記第１の主巻線（ＬＬ６Ａ）における前記第１入力端子（６３）に接続されると共に、他方の端子が前記第１出力端子（６６）に接続されている第１の副巻線（Ｌ６Ａ）と、
前記第１および前記第２の主巻線（ＬＬ６Ａ，ＬＬ６Ｂ）と共通の磁路を有する２端子付き巻線であって、該２端子のうち一方の端子が前記第２の主巻線（ＬＬ６Ｂ）における前記第２入力端子（６１）に接続されると共に、他方の端子が前記第２出力端子（６４）に接続されている第２の副巻線（Ｌ６Ｂ）と、
前記第１の副巻線（Ｌ６Ａ）および前記第２の副巻線（Ｌ６Ｂ）をそれぞれ静電的に遮蔽するシールド部材（６８，６９）と、
前記中性線入力端子（６２）と前記中性線出力端子（６５）とを結合する接続線（ＮＬ）とを具備し、
前記中性線出力端子（６５）と前記第１出力端子（６６）との間における第１出力電圧（Ｅ１−ｅ１）、および、前記中性線出力端子（６５）と前記第２出力端子（６４）との間における第２出力電圧（Ｅ２−ｅ２）がそれぞれ前記３線式交流電源の線間電圧（Ｅ１，Ｅ２）より低くなるように結線したものである。
【００２２】
【発明の実施の形態】
（実施の形態１）
図１は本発明を適用した第１の実施の形態による単相２線式変圧器を示す回路、図２は図１の等価回路を示す。これら両図において、Ｌ１Ａは主巻線、Ｌ１ＢおよびＬ１Ｃは副巻線、１ないし４は巻線端子、５および６は静電シールド部材、７はコアである。また、Ｅ（ＩＮ）は入力電圧であって、商用単相２線式電源に接続されている。副巻線Ｌ１Ｂ，Ｌ１Ｃに誘起される電圧Ｅ１，Ｅ２の大きさは、入力電圧Ｅ（ＩＮ）の約３０％であって、かつ、本実施の形態の場合はＥ１＝Ｅ２に設定してある。従って、図２に示した等価回路からも明らかなように、出力電圧Ｅ（ＯＵＴ）と入力電圧Ｅ（ＩＮ）は同じ大きさになる。
【００２３】
出力端子３，４の後段には、各種の電子機器あるいは電気機器（図示せず）が接続される。
【００２４】
すなわち、本発明の第１の実施の形態による変圧器は、図１に示すように、第１入力端子１，第２入力端子２および第１出力端子３，第２出力端子４を備えた単相２線式の変圧器である。この変圧器の主巻線Ｌ１Ａは、単相２線式交流電源に接続されている第１入力端子１および第２入力端子２を有する。また、第１の副巻線Ｌ１Ｂは、主巻線Ｌ１Ａと共通の磁路を有する巻線であって、一方の端子が第１入力端子１に接続されると共に、他方の端子が前記第１出力端子３に接続されている。さらに、第２の副巻線Ｌ１Ｃは、主巻線Ｌ１Ａと共通の磁路を有する巻線であって、一方の端子が第２入力端子２に接続されると共に、他方の端子が第２出力端子４に接続されており、かつ、第１の副巻線Ｌ１Ｂとは逆相の起電力を生じさせるものである。シールド部材５および６は、第１の副巻線Ｌ１Ｂおよび第２の副巻線Ｌ１Ｃをそれぞれ静電的に遮蔽している。
【００２５】
次に、本実施の形態の具体的な電気的特性について説明していく。
【００２６】
図３は、ある直巻モータを備えた電気ドリル自体が本来的に発生する電源端子妨害電圧を示す周波数特性図である。図３の測定値を得るために、ＣＩＳＰＲ（国際無線傷害特別委員会）のＰｕｂｌｉｃａｔｉｏｎ  １１（ｃｌａｓｓ  Ａ）などに準拠した、図４２の（Ａ）に示す測定系を用いた。すなわち、ＥＵＴ（供試機器あるいは被測定物）１００である電気ドリルと、ＡＣ電源（５０ヘルツ，ＡＣ１００ボルト）１０２との間に、擬似電源回路網１０４を挿入してある。この擬似電源回路網１０４は、ＥＵＴ（供試機器）１００から電源線を介して放出される伝導妨害波の測定を標準化するために用いられる周知の装置であって、ＡＣ電源１０２あるいは外部電源のラインノイズを除去することにより不要な外来信号が供試機器１００に流入するのを回避すると共に、供試機器１００からＡＣ電源１０２を見たときのインピーダンスを一定にし、かつ、供試機器１００から放出されるノイズのみをスペクトルアナライザ１０６に導く機能を果たすものである。本実施の形態においては、擬似電源回路網１０４として、ＲＯＨＤＥ＆ＳＣＨＷＡＲＺ社製  ＥＳＨ２−Ｚ５を用いた。また、スペクトルアナライザ１０６として、ＨＥＷＬＥＴＴ  ＰＡＣＫＡＲＤ社製  ８５６６Ｂを用いた。図４２の１０８はデータ処理装置（ＣＰＵ）、１１０はプリンタである。
【００２７】
なお、以下の説明において、電源端子妨害電圧の測定は、すべて図４２の（Ａ）に示した測定系に従って行うものとする。
【００２８】
図４は、図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図３で述べた電気ドリルを接続したときに結果として得られる電源端子妨害電圧を示す特性図である。本図と図３とを比較すると明らかなように、図１に示したトランスのノイズ抑制効果は顕著なものとなっている。
【００２９】
図５は、あるスイッチング電源自体が本来的に発生する電源高調波電流を示した特性図である。図４２の（Ｂ）は、この電源高調波電流を測定するために、ＥＮ  ６０  ５５５  Ｐａｒｔ  ２などに準拠した測定系を示している。
【００３０】
図４２の（Ｂ）において、２００は供試機器であるスイッチング電源、２０２はＡＣ電源（５０ヘルツ，ＡＣ１００ボルト）、２０４は擬似電源回路網、２０６は電源高調波電流測定装置、２０８はデータ処理装置、２１０はプリンタである。本実施の形態においては、擬似電源回路網２０４として、菊水電子工業（株）社製のＬＩＮ３１−ＰＣＲを用いた。また、電源高調波電流測定装置２０６として、同社製のリモート・コントロール・オプション・カードＲＣＯ２−ＰＣＲ−Ｌ付きＰＣＲ−２０００Ｌを用いた。
【００３１】
なお、以下の説明において、電源高調波電流の測定は、すべて図４２の（Ｂ）に示した測定系に従って行うものとする。
【００３２】
図６は、図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図５で述べたスイッチング電源を接続したときの電源高調波電流を示す特性図である。本図と図５とを比較すると明らかなように、図１に示したトランスの電源高調波電流の除去効果は顕著なものとなっている。
【００３３】
図７は、あるインバータ蛍光灯自体が本来的に発生する電源高調波電流を示した特性図である。
【００３４】
図８は、図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図７で述べたインバータ蛍光灯を接続したときの電源高調波電流を示す特性図である。本図と図７とを比較すると明らかなように、図１に示したトランスの電源高調波電流の除去効果は顕著なものとなっている。
【００３５】
図９は、ある直巻モータを備えた電気ドリル自体が本来的に発生する電源端子妨害電圧を示す周波数特性図である（図３と殆ど同じ特性を有している）。
【００３６】
図１０は、シールドなしの図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図９で述べた電気ドリルを接続したときの電源端子妨害電圧を示す特性図である。本図と図９とを比較すると明らかなように、シールド５，６を除去した場合にも、図１に示したトランスのノイズ抑制効果は顕著なものとなっている。
【００３７】
図１１は、シールド付きの図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図９で述べた電気ドリルを接続したときの電源端子妨害電圧を示す特性図である。本図と図９とを比較すると明らかなように、シールド５，６を付加した場合には、図１に示したトランスのノイズ抑制効果はより顕著なものとなっている。
【００３８】
図１２は、あるスイッチング電源自体が本来的に発生する電源高調波電流を示した特性図である（図５と殆ど同じ特性を有している）。
【００３９】
図１３は、図１２の詳細なデータを示している。
【００４０】
図１４は、図１に示したトランス（Ｅ（ＩＮ）＝１００Ｖ，Ｅ１＝Ｅ２＝３０Ｖ，Ｅ（ＯＵＴ）＝１００Ｖ）の出力端子３，４に、図１２で述べたスイッチング電源を接続したときの電源高調波電流を示す特性図である。図１５は、図１４の詳細なデータを示している。この図１４と図５とを比較すると明らかなように、図１に示したトランスの電源高調波電流の除去効果は顕著なものとなっている。
【００４１】
図１６は、図１に示したトランス（Ｅ（ＩＮ）＝１００Ｖ，Ｅ１＝Ｅ２＝５０Ｖ，Ｅ（ＯＵＴ）＝１００Ｖ）の出力端子３，４に、図１２で述べたスイッチング電源を接続したときの電源高調波電流を示す特性図である。本図はＥ１＝Ｅ２＝５０Ｖとした場合の測定値であるが、図５とを比較すると明らかなように、図１に示したトランスの電源高調波電流の除去効果は顕著なものとなっている。
【００４２】
図１７は、図１６の詳細なデータを示している。
【００４３】
なお、図１〜図１７を参照して上述した第１の形態による変圧器（図１）においては、第１の副巻線Ｌ１Ｂによる起電力（Ｅ１）の大きさと、第２の副巻線Ｌ１Ｃによる起電力（Ｅ２）の大きさとを等しく設定した場合について説明したが、所定の大小関係（すなわち、Ｅ１≠Ｅ２、たとえばＥ１＝３０ボルト、Ｅ２＝３５ボルト）に設定することにより、出力電圧Ｅ（ＯＵＴ）を１００ボルト以下（すなわち、Ｅ（ＩＮ）＞Ｅ（ＯＵＴ）、たとえば、Ｅ（ＯＵＴ）＝９５ボルト）にすることが可能である。このことにより、電気機器の電力負荷に対する節電効果をより高めることが可能になる。
【００４４】
（実施の形態２）
図１８は本発明を適用した第２の実施の形態を示す回路、図１９は図１８の等価回路を示す。ここで説明する実施の形態は、基本的には先に説明した第１の実施の形態と同様であるが、図１のトランスにおいて、Ｅ１，Ｅ２が共に加極性接続されている（すなわち、出力電圧Ｅ（ＯＵＴ）＝１００Ｖ＋５０Ｖ＋５０Ｖ：Ｅ１＝Ｅ２＝５０Ｖ）点が異なっている。
【００４５】
より具体的に述べると、本発明の第２の実施の形態は、図１８に示すように、第１入力端子２１，第２入力端子２２および第１出力端子２３，第２出力端子２４を備えた単相２線式の変圧器であって、（１）単相２線式交流電源に接続されている第１入力端子２１および第２入力端子２２を有する主巻線Ｌ２Ａと、（２）主巻線Ｌ２Ａと共通の磁路を有する巻線であって、一方の端子が第１入力端子２１に接続されると共に、他方の端子が第１出力端子２３に接続されている第１の副巻線Ｌ２Ｂと、（３）主巻線Ｌ２Ａと共通の磁路を有する巻線であって、一方の端子が第２入力端子２２に接続されると共に、他方の端子が第２出力端子２４に接続されている第２の副巻線Ｌ２Ｃと、（４）第１の副巻線Ｌ２Ｂおよび第２の副巻線Ｌ２Ｃをそれぞれ静電的に遮蔽するシールド部材２５，２６とを具備し、第１および第２の副巻線Ｌ２Ｂ，Ｌ２Ｃにおける起電力が共に主巻線Ｌ２Ａの起電力と加極性になるよう結線した（Ｅ（ＯＵＴ）＝Ｅ１＋Ｅ２となる）ものである。
【００４６】
図２０は、あるスイッチング電源自体が本来的に発生する電源高調波電流を示した特性図である（図５と殆ど同じ特性を有している）。
【００４７】
図２１は、図１８に示したトランス（Ｅ（ＩＮ）＝１００Ｖ，Ｅ１＝Ｅ２＝５０Ｖ，Ｅ（ＯＵＴ）＝２００Ｖ）の出力端子２３，２４に、降圧器（２００Ｖ→１００Ｖ）を介して、図２０で述べたスイッチング電源を接続したときの電源高調波電流を示す特性図である。本図と図２０とを比較すると明らかなように、図１８に示したトランスの電源高調波電流の除去効果は顕著なものとなっている。特に、非直線負荷から発生する高次高調波がかなり減少するという効果が得られる。
【００４８】
なお、上述したは第２の実施の形態による変圧器（図１８）においては、第１の副巻線Ｌ２Ｂによる起電力（Ｅ１）の大きさと、第２の副巻線Ｌ２Ｃによる起電力（Ｅ２）の大きさとを等しく設定するだけではなく、所定の大小関係をもって設定することも可能である。
【００４９】
（実施の形態３）
図２２は本発明を適用した第３の実施の形態を示す回路、図２３は図２２の等価回路を示す。
【００５０】
図２２に示したトランスは、１次側・２次側間のアイソレーションが無いブリッジ構成のトランスである。すなわち、１次巻線Ｌ３Ａと２次巻線Ｌ３Ｂとを共通のコア３７上に巻回した単相２線式の変圧器において、
（１）１次巻線Ｌ３Ａの一方の端子である第１入力端子３１と、２次巻線Ｌ３Ｂの中点Ｍとを接続する結線３８と、
（２）１次巻線Ｌ３Ａの他方の端子である第２入力端子３２と、２次巻線Ｌ３Ｂの端子である第１出力端子３３および第２出力端子３４との間にそれぞれ接続した第１のコンデンサＣ１および第２のコンデンサＣ２と、
（３）１次巻線Ｌ３Ａまたは２次巻線Ｌ３Ｂのいずれか一方を静電的に遮蔽するシールド部材３５とを具備したものである。
【００５１】
ここで、上述した第３の実施の形態による変圧器（図２２）において、２次巻線Ｌ３Ｂの出力電圧（Ｅ（ＯＵＴ））を、１次巻線Ｌ３Ａの入力電圧（Ｅ（ＩＮ））と等しくするか、あるいは、負荷の節電機能を目的として該入力電圧（Ｅ（ＩＮ））より低く設定することが可能である。
【００５２】
図２４は、ある直巻モータを備えた電気ドリル自体が本来的に発生する電源端子妨害電圧を示す周波数特性図である（図３と殆ど同じ特性を有している）。
【００５３】
図２５は、図２２に示したトランス（Ｅ（ＩＮ）＝１００Ｖ，Ｅ１＝Ｅ２＝５０Ｖ，Ｅ（ＯＵＴ）＝１００Ｖ）の出力端子３３，３４に、図２４で述べた電気ドリルを接続したときの電源端子妨害電圧を示す特性図である。本図と図２４とを比較すると明らかなように、図２２に示したトランスのノイズ抑制効果は顕著なものとなっている。特に、図２２に示したトランスでは、国際規格で規制されていない１５０ｋＨZ 以下に有効であって、一般のノイズ・カット・トランスではこの領域のノイズを下げることは困難である。
【００５４】
図２６は、あるインバータ蛍光灯自体が本来的に発生する電源高調波電流を示した特性図である（図７と殆ど同じ特性を有している）。
【００５５】
図２７は、図２２に示したトランス（Ｅ（ＩＮ）＝１００Ｖ，Ｅ１＝Ｅ２＝５０Ｖ，Ｅ（ＯＵＴ）＝１００Ｖ）の出力端子３３，３４に、図２６で述べたインバータ蛍光灯を接続したときの電源高調波電流を示す特性図である。図２８は、図２７の詳細なデータを示している。図２７と図２６とを比較すると明らかなように、図２２に示したトランスの電源高調波電流の除去効果は顕著なものとなっている。
【００５６】
より具体的に述べると、図２６（トランスなし）の場合における力率は０．５９であったものが、図２７では０．８０に改善されている。また、消費電力についてみると、図２６（トランスなし）の場合には５７．６Ｗであったものが、図２７の場合には４９．３Ｗに減少している。
【００５７】
このように、図２２に示したトランスを付加することによって、
▲１▼雑音
▲２▼電源高調波
▲３▼力率
▲４▼消費電力
の４項目について改善がみられる。
【００５８】
なお、出力側の２つの巻線は、できるだけ対称となる構造の巻線とするのが好ましい。
【００５９】
図２９は、あるスイッチング電源自体が本来的に発生する電源高調波電流を示した特性図である（図５と殆ど同じ特性を有している）。
【００６０】
図３０は、図２２に示したトランス（Ｅ（ＩＮ）＝１００Ｖ，Ｅ１＝Ｅ２＝５Ｖ，Ｅ（ＯＵＴ）＝１００Ｖ）の出力端子３３，３４に、図２９で述べたスイッチング電源を接続したときの電源高調波電流を示す特性図である。本図と図２９とを比較すると明らかなように、図２２に示したトランスの電源高調波電流の除去効果は顕著なものとなっている。
【００６１】
図３１は、あるスイッチング電源自体が本来的に発生する電源高調波電流を示した特性図である（図５と殆ど同じ特性を有している）。
【００６２】
図３２は、図２２に示したトランス（Ｅ（ＩＮ）＝１００Ｖ，Ｅ１＝Ｅ２＝１５Ｖ，Ｅ（ＯＵＴ）＝３０Ｖ）の出力端子３３，３４に、１００ボルトへの昇圧器（ステップアップトランス）を介して（図示せず）、図３１で述べたスイッチング電源を接続したときの電源高調波電流を示す特性図である。本図と図３１とを比較すると明らかなように、図２２に示したトランスの電源高調波電流の除去効果は顕著なものとなっている。
【００６３】
図３３は、あるインバータ蛍光灯自体が本来的に発生する電源高調波電流を示した特性図である（図７と殆ど同じ特性を有している）。
【００６４】
図３４は、図２２に示したトランス（Ｅ（ＩＮ）＝１００Ｖ，Ｅ１＝Ｅ２＝１５Ｖ，Ｅ（ＯＵＴ）＝３０Ｖ）の出力端子３３，３４に、１００ボルトへの昇圧器を介して（図示せず）、図３３で述べたインバータ蛍光灯を接続したときの電源高調波電流を示す特性図である。本図と図３３とを比較すると明らかなように、図２２に示したトランスの電源高調波電流の除去効果は顕著なものとなっている。
【００６５】
（実施の形態４）
図３５は本発明を適用した第４の実施の形態を示す回路、図３６は図３５の等価回路を示す。
【００６６】
図３５に示したトランスは、１次側・２次側間のアイソレーションを行うためにコンデンサＣ３を挿入したブリッジ構成のトランスである。すなわち、１次巻線Ｌ４Ａと２次巻線Ｌ４Ｂとを共通のコア４７上に巻回することにより１次側と２次側とをアイソレートする単相２線式の変圧器において、
（１）１次巻線Ｌ４Ａの一方の端子である第１入力端子４２と、２次巻線Ｌ４Ｂの中点Ｍとを接続する結合コンデンサＣ３と、
（２）１次巻線Ｌ４Ａの他方の端子である第２入力端子４１と、２次巻線Ｌ４Ｂの端子である第１出力端子４３および第２出力端子４４との間にそれぞれ接続した第１のコンデンサＣ１および第２のコンデンサＣ２と、
（３）１次巻線Ｌ４Ａまたは２次巻線Ｌ４Ｂのいずれか一方を静電的に遮蔽するシールド部材４５とを具備したものである。
【００６７】
ここで、上述した第４の実施の形態による変圧器（図３５）において、２次巻線Ｌ４Ｂの出力電圧（Ｅ（ＯＵＴ））を、１次巻線Ｌ４Ａの入力電圧（Ｅ（ＩＮ））と等しくするか、あるいは、負荷の節電機能を目的として該入力電圧（Ｅ（ＩＮ））より低く設定することが可能である。
【００６８】
（実施の形態５）
図３７は本発明を適用した第５の実施の形態を示す回路、図３８は図３７の等価回路を示す。
【００６９】
図３７に示したトランスは、第１入力端子５１，中性線入力端子５２，第２入力端子５３および第１出力端子５４，中性線出力端子５５，第２出力端子５６を備えた単相３線式の変圧器において、
（１）単相３線式交流電源に接続されている第１入力端子５１，中性線入力端子５２および第２入力端子５３を有する第１の主巻線ＬＬ５Ａと、
（２）第１の主巻線ＬＬ５Ａと共通の磁路を有する巻線であって、第１入力端子５１，中性線入力端子５２および第２入力端子５３とそれぞれ並列に接続されている３つの入力端子を有する第２の主巻線ＬＬ５Ｂと、
（３）第１および第２の主巻線ＬＬ５Ａ，ＬＬ５Ｂと共通の磁路を有する２端子付き巻線であって、該２端子のうち一方の端子が第１の主巻線ＬＬ５Ａにおける第２入力端子５３に接続されると共に、他方の端子が第２出力端子５６に接続されている第１の副巻線Ｌ５Ａと、
（４）第１および第２の主巻線ＬＬ５Ａ，ＬＬ５Ｂと共通の磁路を有する２端子付き巻線であって、該２端子のうち一方の端子が、第２の主巻線ＬＬ５Ｂにおける第１入力端子５１側の端子に接続されると共に、他方の端子が第１出力端子５４に接続されている第２の副巻線Ｌ５Ｂと、
（５）第１の副巻線Ｌ５Ａおよび第２の副巻線Ｌ５Ｂをそれぞれ静電的に遮蔽するシールド部材５８，５９と、
（６）中性線入力端子５２と中性線出力端子５５とを結合する接続線ＮＬとを具備し、
（７）中性線出力端子５５と第１出力端子５４との間における第１出力電圧（Ｅ２−ｅ２）、および、中性線出力端子５５と第２出力端子５６との間における第２出力電圧（Ｅ１−ｅ１）がそれぞれ３線式交流電源の線間電圧（Ｅ２，Ｅ１）より低くなるように結線したものである。
【００７０】
図３９は、図３７に示したトランス（Ｅ１＝Ｅ２＝１００Ｖ，ｅ１＝ｅ２＝５Ｖ）の出力端子５４，５５，５６に、先に図３で述べた電気ドリルを接続したときの電源端子妨害電圧を示す特性図である。本図と図３とを比較すると明らかなように、図３７に示したトランスのノイズ抑制効果は顕著なものとなっている。
（実施の形態６）
図４０は本発明を適用した第６の実施の形態を示す回路、図４１は図４０の等価回路を示す。
【００７１】
図４０に示したトランスは、第１入力端子６３，中性線入力端子６２，第２入力端子６１および第１出力端子６６，中性線出力端子６５，第２出力端子６４を備えた単相３線式の変圧器において、
（１）単相３線式交流電源の中性線および一方の電圧線に接続されている中性線入力端子６２および第１入力端子６３を有する第１の主巻線ＬＬ６Ａと、
（２）単相３線式交流電源の中性線および他方の電圧線に接続されている中性線入力端子６２および第２入力端子６１を有する巻線であって、第１の主巻線ＬＬ６Ａと共通の磁路を有する第２の主巻線ＬＬ６Ｂと、
（３）第１および第２の主巻線ＬＬ６Ａ，ＬＬ６Ｂと共通の磁路を有する２端子付き巻線であって、該２端子のうち一方の端子が第１の主巻線ＬＬ６Ａにおける第１入力端子６３に接続されると共に、他方の端子が第１出力端子６６に接続されている第１の副巻線Ｌ６Ａと、
（４）第１および第２の主巻線ＬＬ６Ａ，ＬＬ６Ｂと共通の磁路を有する２端子付き巻線であって、該２端子のうち一方の端子が第２の主巻線ＬＬ６Ｂにおける第２入力端子６１に接続されると共に、他方の端子が第２出力端子６４に接続されている第２の副巻線Ｌ６Ｂと、
（５）第１の副巻線Ｌ６Ａおよび第２の副巻線Ｌ６Ｂをそれぞれ静電的に遮蔽するシールド部材６８，６９と、
（６）中性線入力端子６２と中性線出力端子６５とを結合する接続線ＮＬとを具備し、
（７）中性線出力端子６５と第１出力端子６６との間における第１出力電圧（Ｅ１−ｅ１）、および、中性線出力端子６５と第２出力端子６４との間における第２出力電圧（Ｅ２−ｅ２）がそれぞれ３線式交流電源の線間電圧（Ｅ１，Ｅ２）より低くなるように結線したものである。
【００７２】
【発明の効果】
以上説明した通り、本発明によれば、電子機器などの電力負荷から電源ラインへ還流する雑音および電源高調波を効果的に抑止することができる。しかも、その電力負荷の消費電力を低減させる節電機能も併せ持つことができる。
【００７３】
さらに加えて、本発明によれば、簡易かつ小型な単相２線式または単相３線式の巻線構成を有し、必要に応じて商用電源と電子機器などとの間の着脱が自在であるにも拘らず、電子機器などの電力負荷から電源ラインへ還流する電源端子妨害電圧あるいは電源高調波電流を極めて効果的に抑止すると共に、その電力負荷の消費電力量も低減させることが可能になる。
【図面の簡単な説明】
【図１】本発明の実施の形態１を示す図である。
【図２】図１の等価回路図である。
【図３】直巻モータを備えた電気ドリルの電源端子妨害電圧を示す図である。
【図４】実施の形態１として示した図１のトランスと、図３に示した電気ドリルとの組み合わせによって得られた電源端子妨害電圧を示す図である。
【図５】スイッチング電源の電源高調波電流を示す図である。
【図６】実施の形態１として示した図１のトランスと、図５に示したスイッチング電源との組み合わせによって得られた電源高調波電流を示す図である。
【図７】インバータ蛍光灯の電源高調波電流を示す図である。
【図８】実施の形態１として示した図１のトランスと、図７に示したインバータ蛍光灯との組み合わせによって得られた電源高調波電流を示す図である。
【図９】直巻モータを備えた電気ドリルの電源端子妨害電圧（図３と殆ど同じ）を示す図である。
【図１０】実施の形態１として示した図１のトランスからシールドを除去したトランスと、図９に示した電気ドリルとの組み合わせによって得られた電源端子妨害電圧を示す図である。
【図１１】実施の形態１として図１に示したシールド有りの図１のトランスと、図９に示した電気ドリルとの組み合わせによって得られた電源端子妨害電圧を示す図である。
【図１２】スイッチング電源の電源高調波電流（図５と殆ど同じ）を示す図である。
【図１３】図１２の詳細なデータを示す図である。
【図１４】実施の形態１として示した図１のトランスと、図１２に示したスイッチング電源との組み合わせによって得られた電源高調波電流を示す図である。
【図１５】図１４の詳細なデータを示す図である。
【図１６】実施の形態１として示した図１のトランスと、図１２に示したスイッチング電源との組み合わせによって得られた電源高調波電流を示す図である。
【図１７】図１６の詳細なデータを示す図である。
【図１８】本発明の実施の形態２として、図１のトランスにおけるＥ１，Ｅ２を共に加極性接続（出力電圧＝１００Ｖ＋５０Ｖ＋５０Ｖ：Ｅ１＝Ｅ２＝５０Ｖ）したトランスを示す図である。
【図１９】図１８の等価回路図である。
【図２０】スイッチング電源の電源高調波電流（図５と殆ど同じ）を示す図である。
【図２１】実施の形態２として示した図１８のトランスと、図２０に示したスイッチング電源との組み合わせによって得られた電源高調波電流を示す図である。
【図２２】本発明の実施の形態３として、ブリッジ構成のトランス（１次側・２次側のアイソレーション無し）を示す図である。
【図２３】図２２の等価回路図である。
【図２４】直巻モータを備えた電気ドリルの電源端子妨害電圧（図３と殆ど同じ）を示す図である。
【図２５】実施の形態３として示したアイソレーション無しの図２２のトランスと、図２４に示した電気ドリルとの組み合わせによって得られた電源端子妨害電圧を示す図である。
【図２６】インバータ蛍光灯の電源高調波電流（図７と殆ど同じ）を示す図である。
【図２７】実施の形態３として示した図２２のトランスと、図２６に示したインバータ蛍光灯との組み合わせによって得られた電源高調波電流を示す図である。
【図２８】図２７の詳細なデータを示す図である。
【図２９】スイッチング電源の電源高調波電流（図５と殆ど同じ）を示す図である。
【図３０】実施の形態３として示した図２２のトランスと、図２９に示したスイッチング電源との組み合わせによって得られた電源高調波電流を示す図である。
【図３１】スイッチング電源の電源高調波電流（図５と殆ど同じ）を示す図である。
【図３２】実施の形態３として示した図２２のトランスと、図３１に示したスイッチング電源との組み合わせによって得られた電源高調波電流を示す図である。
【図３３】インバータ蛍光灯の電源高調波電流（図７と殆ど同じ）を示す図である。
【図３４】実施の形態３として示した図２２のトランスと、図３４に示したインバータ蛍光灯との組み合わせによって得られた電源高調波電流を示す図である。
【図３５】本発明の実施の形態４として、他のブリッジ構成のトランス（１次側・２次側のアイソレーション有り）を示す図である。
【図３６】図３５の等価回路図である。
【図３７】本発明の実施の形態５による単相３線式トランスを示す図である。
【図３８】図３７の等価回路図である。
【図３９】実施の形態５として図３７に示した単相３線式のトランスと、図３に示した電気ドリルとの組み合わせによって得られた電源端子妨害電圧を示す図である。
【図４０】本発明の実施の形態６による他の単相３線式トランスを示す図である。
【図４１】図４０の等価回路図である。
【図４２】供試機器の電源端子妨害電圧および電源高調波電流を測定するための回路図である。
【図１】
0003923628.tif 000002
【図２】
0003923628.tif 000003
【図３】
0003923628.tif 000004
【図４】
0003923628.tif 000005
【図５】
0003923628.tif 000006
【図６】
0003923628.tif 000007
【図７】
0003923628.tif 000008
【図８】
0003923628.tif 000009
【図９】
0003923628.tif 000010
【図１０】
0003923628.tif 000011
【図１１】
0003923628.tif 000012
【図１２】
0003923628.tif 000013
【図１３】
0003923628.tif 000014
【図１４】
0003923628.tif 000015
【図１５】
0003923628.tif 000016
【図１６】
0003923628.tif 000017
【図１７】
0003923628.tif 000018
【図１８】
0003923628.tif 000019
【図１９】
0003923628.tif 000020
【図２０】
0003923628.tif 000021
【図２１】
0003923628.tif 000022
【図２２】
0003923628.tif 000023
【図２３】
0003923628.tif 000024
【図２４】
0003923628.tif 000025
【図２５】
0003923628.tif 000026
【図２６】
0003923628.tif 000027
【図２７】
0003923628.tif 000028
【図２８】
0003923628.tif 000029
【図２９】
0003923628.tif 000030
【図３０】
0003923628.tif 000031
【図３１】
0003923628.tif 000032
【図３２】
0003923628.tif 000033
【図３３】
0003923628.tif 000034
【図３４】
0003923628.tif 000035
【図３５】
0003923628.tif 000036
【図３６】
0003923628.tif 000037
【図３７】
0003923628.tif 000038
【図３８】
0003923628.tif 000039
【図３９】
0003923628.tif 000040
【図４０】
0003923628.tif 000041
【図４１】
0003923628.tif 000042
【図４２】
0003923628.tif 000043